(57)【特許請求の範囲】
【請求項１】
後下方に傾斜する底板と、後傾する背板と、背板の左右両側縁から後方に延出する支持片とを有する受け部材を複数組合わせて、商品を後傾状態で載置する雛壇状の商品受け棚を形成し、この受け棚を、左右１対の側板の対向面間に、前記支持片を介してそれぞれ固着し、かつ最下段の受け部材の下方に、前面が開口するとともに、左右両側が前記両側板によって塞がれた物品収納部を形成し、最下段に配置された受け部材の底板の前縁に、物品収納部の前面開口部上側の化粧板となる垂下片を設け、該垂下片の下端を、前記物品収納部の内方に折り返し、さらに、左右の側板を下方に長くし、床面設置用として、背の高いスタンドタイプとし、前記両側板間における前記物品収納部の下方に、大型収納部を形成したことを特徴とする商品陳列装置。
【請求項２】
適宜の受け部材の底板の後端縁から、連結用舌片を上方に向けて延出させ、該舌片を、他の受け部材の背板に固着することにより、商品受け棚を一体化した請求項１記載の商品陳列装置。
【発明の詳細な説明】
【０００１】
【発明の属する技術分野】
本発明は、携帯電話等の情報端末機器の全姿を表す状態で陳列展示するのに適する商品陳列装置に関する。
【０００２】
【従来の技術】
携帯電話等の薄型の情報端末機器は、水平の棚板に自立することが困難な場合が多く、また自立できるものであっても、不安定で棚板の前方に転落し易い。
類似商品である書籍については、これを安定して表紙側を前面として陳列するため、棚板を後傾させる等の工夫が行なわれており、出願人は、この種の技術について、陳列棚の底面および背板を後傾させ、前方への転倒を防止できる陳列装置を提案している(例えば特開平９−２１１５６５号公報参照)。
また、特許第３０１８２８１号では、情報端末機器類を陳列する技術として、同様に、棚の底面および背板を後傾させた陳列装置を提案している。
【０００３】
【発明が解決しようとする課題】
しかし、上述した従来技術では、いずれも、棚の前縁に立上る前板を設けてあるため、携帯電話等の小型商品を立てかけて陳列した場合には、その一部が隠れて見えなくなり易い。したがって、従来の陳列装置では、全姿を表すためには、前板を透明板とするなど、特殊な材料を使用して構成する必要があり、そのため、製作が面倒となり、コストアップを招く。
【０００４】
また、店頭などにおいては、携帯電話等の全姿を表すために、例えば後傾する傾斜板に受け板を突設する等、種々の工夫が施されている。しかし、それらは、一般に機能性に乏しく、汎用的なものでもなく、運搬や設置等にも不便である場合が多い。
【０００５】
さらに、近年、携帯電話等の情報機器の普及が著しい一方で、技術的進歩による機能アップ等が頻繁に行なわれており、それらのアピールや、性能および取扱い説明等のためのパンフレットやカタログ等を配布する必要も多く、それらの収納場所を確保することが望まれるところである。
【０００６】
本発明は、従来の技術が有する上記のような問題点に鑑み、構造が簡単で、安価に提供できるとともに、運搬や設置にも便利で、汎用性および機能性に富み、かつパンフレットやカタログ等の収納上の利便性も確保でき、特に携帯電話等の情報端末の陳列に適した商品陳列装置を提供することを目的とする。
【０００７】
【課題を解決するための手段】
本発明によると、上記課題は次のようにして解決される。
(１) 後下方に傾斜する底板と、後傾する背板と、背板の左右両側縁から後方に延出する支持片とを有する受け部材を複数組合わせて、商品を後傾状態で載置する雛壇状の商品受け棚を形成し、この受け棚を、左右１対の側板の対向面間に、前記支持片を介してそれぞれ固着し、かつ最下段の受け部材の下方に、前面が開口するとともに、左右両側が前記両側板によって塞がれた物品収納部を形成し、最下段に配置された受け部材の底板の前縁に、物品収納部の前面開口部上側の化粧板となる垂下片を設け、該垂下片の下端を、前記物品収納部の内方に折り返し、さらに、左右の側板を下方に長くし、床面設置用として、背の高いスタンドタイプとし、前記両側板間における前記物品収納部の下方に、大型収納部を形成する。
【０００８】
(２) 上記(１)項において、適宜の受け部材の底板の後端縁から、連結用舌片を上方に向けて延出させ、該舌片を、他の受け部材の背板に固着することにより、商品受け棚を一体化する。
【０００９】
【発明の実施の形態】
以下、本発明の実施形態を、図面を参照して説明する。
図１〜図３は、本発明の商品陳列装置の一実施形態を示し、床面設置用として背の高いスタンドタイプとしたものである。
【００１０】
この実施形態の商品陳列装置においては、全ての部品を、薄肉な鋼板によって構成してあり、最下端部には、角パイプを平面視後向きコ字形としたベース(１)を設けてある。このベース(１)の両側辺上に左右１対の側板(２)を対向させて立設し、これら両側板(２)の間に、商品を後傾状態で載置するための雛壇状の商品受け棚(３)を形成してある。
【００１１】
商品受け棚(３)の下部には、パンフレットやカタログ等を収納できる前面開口する物品収納部(４)を設け、さらにその下方に、引き出し等の大型収納部(５)を設けてある。
【００１２】
商品受け棚(３)は、複数(４個)の受け部材(６)を上下に組合せて、全体として後傾状態の雛壇状に構成されている。各受け部材(６)は、全て、後下方に傾斜する底板(７)と、上部が後傾する背板(８)と、背板(８)の左右両側縁から後方に延出する支持片(９)とを有している。
【００１３】
最上段の受け部材(6a)は、傾斜した底板(７)の前縁から背板(８)を垂下したもので、その背板(８)の両側縁により、支持片(９)が後方に向って延出している。これらの支持片(９)は、両側板(２)の対向面に溶接またはねじ止め等により接合固着されている。
【００１４】
最上段の受け部材(6a)の底板(７)の後端上に、両側板(２)の上端間に架設した角管状の連結杆(10)を配置し、この連結杆(10)の前面が、最上段の受け部材(6a)の背板となっている。
【００１５】
また、上から２段目と３段目の受け部材(6b)(6c)は、同一の構造であり、上端の受け部材(6a)とほぼ同形状であるが、底板(７)の後端縁から連結用舌片(11)を上方に向けて延出させ、この舌片(11)を、それぞれその上側の受け部材の背板(８)の下端に溶接等により固着することにより一体化してある。
【００１６】
上から４段目および５段目(最下段)を形成する受け部材(6d)は、１個の背板に対して、上下１対の底板(7a)(7b)を有する構造としてある。上側の底板(7a)の後端縁には、連結用舌片(11)が上方に向けて延出し、この舌片(11)は、上から３段目の受け部材(6c)の背板(８)の下端に溶接またはねじ止め等により固着されて一体化されている。下側の底板(7b)の前端には、垂下片(12)が形成されている。垂下片(12)は、その下方に配置された物品収納部(４)の前面開口部上側の化粧板となっており、この化粧板の下端部を、物品収納部(４)の内方側に折り返し、これにより、下端縁を緩やかな湾曲縁としてある。
【００１７】
両側板(２)の傾斜した上側前縁部は、各受け部材(６)の底板(７)の前縁を繋ぐラインに沿って直線状としてあり、これにより、底板(７)の後縁部分を側方から覆う脇カバーとなるようにしてある。
【００１８】
以上の受け部材(６)と両側板(２)とにより、雛壇状の商品受け棚(３)が形成されており、商品としての携帯電話等の情報端末機器を後下方に傾斜した各底板(７)上に載置し、後傾した背板(８)によって後方から支えることにより、商品の全姿を表す状態で、前方への転落等がなく、安定して陳列することができる。また、両側板２を底板(７)の脇カバーとして機能させることにより、側方への商品の脱落を防止することができる。
【００１９】
商品受け棚(３)の下側に配置される物品収納部(４)は、両側板(２)と、それに左右の端部が固着された上下１対の水平板(13),(14)とによって、前面が開口する状態で形成されている。上側の水平板(13)の後端には、下方へ向って垂直に折曲された後、後方に伸びる後端壁(15)が設けられ、これにより、収納空間の後端が閉塞されている。
【００２０】
この物品収納部(４)内に、前面開口部を介して、例えばパンフレット、カタログ等を収納することができる。この物品収納部の前縁に化粧板として配置されている最下段の受け部材(6d)の垂下片(12)は、折り返しにより、緩やかな湾曲面としてあるので、パンフレット等の出し入れの際に手が接触しても、負傷するおそれはなく、安全性が確保される。
なお、両側板(2)の後縁を除く各縁部は、角形に折曲した補強縁(16)としてあり、また両側板(２)の対向面側には、縦、横、斜め方向等の補強材(17)が固着されている。  この実施形態によれば、複数の受け部材(６)と側板(２)とにより、後傾した雛壇状の商品受け棚(３)を構成してあるので、携帯電話等の情報端末機器の陳列に適し、構造が簡単で安価に提供することができる。また、軽量かつ高剛性で、運搬や設置にも便利であり、汎用性および機能性に富む。しかも、パンフレットやカタログ等の収納上の利便性が確保できるうえ、出し入れの際の安全性も確保できる。
【００２１】
【発明の効果】
請求項１記載の発明によると、構造が簡単で、安価に提供できるとともに、運搬や設置に便利で汎用性に富み、かつパンフレットやカタログ等の収納上の利便性も高く、これにより、機能性にも優れ、特に携帯電話等の情報端末機器の陳列に適した商品陳列装置が提供される。
また、物品収納部の前面開口部上側の化粧板の下端が、折り返しにより緩やかな端面となるので、カタログやチラシを取るために物品収納部に手を差し込んだ場合に、怪我をすることがなく、安全性を確保することができる。
さらに、床面設置用として、店舗等の任意の個所に設置することができる。
【００２２】
請求項２記載の発明によると、商品受け棚を受け部材の組立てにより、簡単かつ確実に構成することができる。
【図面の簡単な説明】
【図１】  本発明の一実施形態の縦断側面図である。
【図２】  図１に示した商品陳列装置の外観斜視図である。
【図３】  図１に示した商品陳列装置の部品構成を示す分解斜視図である。
【符号の説明】
(１)ベース
(２)側板
(３)商品受け棚
(４)物品収納部
(５)大型収納部
(６)受け部材
(７)底板
(８)背板
(９)支持片
(10)連結杆
(11)連結用舌片
(12)垂下片
(13)(14)水平板
(15)後端壁
(16)補強縁
(17)補強材
【図１】
0004723065.tif 000002
【図２】
0004723065.tif 000003
【図３】
0004723065.tif 000004